(57)【要約】【課題】繰り返し使用が可能で皮下温度を十分に温めることができるサポーター用エラストマー発泡体を提供する。【解決手段】運動エネルギーを熱エネルギーに変換するエラストマーで形成され、示差走査熱量計により測定されるＤＳＣ曲線において、２５℃以上、５５℃以下の温度領域に吸熱ピークを有する。【選択図】図１
2020105256.tif 000002
【特許請求の範囲】
【請求項１】
運動エネルギーを熱エネルギーに変換するエラストマーで形成され、
示差走査熱量計により測定されるＤＳＣ曲線において、２５℃以上、５５℃以下の温度領域に吸熱ピークを有するサポーター用エラストマー発泡体。
【請求項２】
前記エラストマーが、下記（Ａ）及び（Ｂ）から選ばれる１種以上を含有する、請求項１に記載のサポーター用エラストマー発泡体。
（Ａ）エチレン酢酸ビニル共重合体、スチレンジエン共重合体
（Ｂ）ニトリルゴム、アクリルゴム、エチレンプロピレンゴム、天然ゴム、ブタジエンゴム、低スチレン・ブタジエンゴム
【請求項３】
前記エラストマーが前記（Ａ）を含有し、前記（Ａ）がポリスチレン（ａ１）とポリジエン（ａ２）のブロック共重合体である、
請求項２に記載のサポーター用エラストマー発泡体。
【請求項４】
前記（ａ２）がポリイソプレン（３，４結合）、ポリイソプレン（１，４結合）、ポリイソプレン（１，２結合）、水添ポリイソプレン（３，４結合）、水添ポリイソプレン（１，４結合）、水添ポリイソプレン（１，２結合）である、
請求項３に記載のサポーター用エラストマー発泡体。
【請求項５】
前記エラストマーが、前記（Ａ）から選ばれる１種以上と、前記（Ｂ）から選ばれる１種以上とを含有する、
請求項２〜４のいずれか一項に記載のサポーター用エラストマー発泡体。
【請求項６】
前記エラストマーは、０．１％ひずみにおける２５℃、０．１〜１０Ｈｚの損失正接であるｔａｎδが０．２以上、０．６以下であり、
運動エネルギーを熱エネルギーに変換する
請求項１〜５記載のサポーター用エラストマー発泡体。
【請求項７】
請求項１〜６のいずれか一項に記載のサポーター用発泡体と、
中心軸方向の少なくとも一方に開口部を有する筒状に構成され、又は、少なくとも一つの平面体の端部をつなげて筒状に構成され、前記サポーター用発泡体が装着されたサポーター本体とを有するサポーター。
【請求項８】
前記サポーター用発泡体は、前記サポーター本体の内周面側に固定されている、
請求項７に記載のサポーター。
【請求項９】
前記サポーター用発泡体は、一端が前記中心軸方向の一方側に配置され他端が前記中心軸方向の他方側に配置された長尺体を含む、
請求項８に記載のサポーター。
【請求項１０】
前記長尺体は、周方向に間隔をあけて対で設けられている、
請求項９に記載のサポーター。
【請求項１１】
前記サポーター用発泡体は、前記中心軸方向の中心よりも前記一方側に配置され前記中心軸方向の中心側の外形輪郭が中心側に対して反対方向側に窪んだ支持体を含む、
請求項７〜１０のいずれか一項に記載のサポーター。
【請求項１２】
前記サポーター用発泡体は、前記中心軸方向に延び周方向に間隔をあけて対で設けられた長尺体を含み、
前記支持体は、前記対で設けられた前記長尺体同士の間に配置されている、
請求項１１に記載のサポーター。
【請求項１３】
前記支持体は、前記中心軸方向の中心に設けられた空隙を挟み、且つ、前記略円弧形状の外形輪郭を対向させて前記中心軸方向の両側に配置されている、
請求項１１又は１２に記載のサポーター。
【請求項１４】
前記長尺体および前記支持体は、前記中心軸方向の端部における前記中心軸を中心とする径方向内側と径方向外側との少なくとも一方に、前記中心軸方向外側に向かうに従って、厚さが薄くなる方向に変化する傾斜部又は曲面部を有する、
請求項１１〜１３のいずれか一項に記載のサポーター。
【発明の詳細な説明】
【技術分野】
【０００１】
本発明は、サポーター用エラストマー発泡体及びサポーターに関するものである。
【背景技術】
【０００２】
変形性膝関節症の痛みは、患部の温めにより和らげることが可能である。現在、皮膚の上から患部を温める温熱製品としては、カイロ、湯たんぽ、発熱生地などが提供されている。
【０００３】
湯たんぽは、予め温めた(蓄熱)素材の熱を利用する。カイロは、開封時に製品中の素材が酸化することによって熱を生じる（例えば、特許文献１参照）。カイロ及び湯たんぽ等の温熱製品は、一方的な熱エネルギーの移動反応であるため、繰り返し使用が出来ないか、再度熱を与えないと使用出来ないという問題がある。
【０００４】
カイロについては、カイロ袋の片面に粘着剤層を有する貼るカイロや、特許文献１に開示されているように、身体に密着する部分に厚めのタオル生地が貼られたドーナツ状の発熱体と、その左右に身体に固定するための粘着物の付いた羽根状バンドにより体に固定し発熱体を体に直に貼りつける事ができる関節専用カイロが開示されており、歩行運動時等において関節部を温めることはできるが、湯たんぽについてはヒトに装着して歩行することは困難である。
【０００５】
発熱生地は、例えば、体から蒸発する水蒸気を繊維自体が吸収し、熱エネルギーに変換する。特許文献２には、発熱生地を用いて形成されたサポーターが開示されている。特許文献２に記載されたサポーターをヒトに装着することにより、患部を温めることができる。
【先行技術文献】
【特許文献】
【０００６】
【特許文献１】特開２０１２−０８１０４０号公報
【特許文献２】特開２０１４−０５１７５１号公報
【発明の概要】
【発明が解決しようとする課題】
【０００７】
しかしながら、カイロについては、発熱は１回限り且つ持続時間にも限りがあるほか、関節部の動きに追随し難い為、皮膚からカイロがはがれて発熱が患部に十分届かないといった課題がある。また、上述した発熱生地は、繊維が水蒸気を吸収できれば半永久的に発熱するが、その発熱量は十分とはいえない。また、変形性膝関節症の痛みは、例えば、皮下温度を３℃加熱して温めることで治療効果があるといわれているが、発熱生地は発熱量が十分ではないため皮下温度を十分に温めることは困難である。
【０００８】
本発明は、以上のような点を考慮してなされたもので、繰り返し使用が可能で皮下温度を十分に温めることができるサポーター用エラストマー発泡体及びサポーターを提供することを目的とする。
【課題を解決するための手段】
【０００９】
本発明者らは、膝やひじに装着して発熱性を評価した結果、特定の発泡体が発熱性に優れ、特定範囲に熱の転移ピークを有することが、良好な発熱を生むことを見出した。
【００１０】
本発明の第１の態様に従えば、運動エネルギーを熱エネルギーに変換するエラストマーで形成され、示差走査熱量計により測定されるＤＳＣ曲線において、２５℃以上、５５℃以下の温度領域に吸熱ピークを有するサポーター用エラストマー発泡体が提供される。
【００１１】
また、上記本発明の一態様に係るサポーター用エラストマー発泡体において、前記エラストマーが、下記（Ａ）及び（Ｂ）から選ばれる１種以上を含有することを特徴とする。
（Ａ）エチレン酢酸ビニル共重合体、スチレンジエン共重合体
（Ｂ）ニトリルゴム、アクリルゴム、エチレンプロピレンゴム、天然ゴム、ブタジエンゴム、低スチレン・ブタジエンゴム
【００１２】
また、上記本発明の一態様に係るサポーター用エラストマー発泡体において、前記エラストマーが前記（Ａ）を含有し、前記（Ａ）がポリスチレン（ａ１）とポリジエン（ａ２）のブロック共重合体であることを特徴とする。
【００１３】
また、上記本発明の一態様に係るサポーター用エラストマー発泡体において、前記（ａ２）がポリイソプレン（３，４結合）、ポリイソプレン（１，４結合）、ポリイソプレン（１，２結合）、水添ポリイソプレン（３，４結合）、水添ポリイソプレン（１，４結合）、水添ポリイソプレン（１，２結合）であることを特徴とする。
【００１４】
また、上記本発明の一態様に係るサポーター用エラストマー発泡体において、前記エラストマーが、前記（Ａ）から選ばれる１種以上と、前記（Ｂ）から選ばれる１種以上とを含有することを特徴とする。
【００１５】
また、上記本発明の一態様に係るサポーター用エラストマー発泡体において、前記エラストマーは、０．１％ひずみにおける２５℃、０．１〜１０Ｈｚの損失正接であるｔａｎδが０．２以上、０．６以下であることを特徴とする。
【００１６】
本発明の第２の態様に従えば、本発明の第１の態様のサポーター用発泡体と、中心軸方向の少なくとも一方に開口部を有する筒状に構成され、又は、少なくとも一つの平面体の端部をつなげて筒状に構成され、前記サポーター用発泡体が装着されたサポーター本体とを有するサポーターが提供される。
【００１７】
また、上記本発明の一態様に係るサポーターにおいて、前記サポーター用発泡体は、前記サポーター本体の内周面側に固定されていることを特徴とする。
【００１８】
また、上記本発明の一態様に係るサポーターにおいて、前記サポーター用発泡体は、一端が前記中心軸方向の一方側に配置され他端が前記中心軸方向の他方側に配置された長尺体を含むことを特徴とする。
【００１９】
また、上記本発明の一態様に係るサポーターにおいて、前記長尺体は、周方向に間隔をあけて対で設けられていることを特徴とする。
【００２０】
また、上記本発明の一態様に係るサポーターにおいて、前記サポーター用発泡体は、前記中心軸方向の中心よりも前記一方側に配置され前記中心軸方向の中心側の外形輪郭が中心側に対して反対方向側に窪んだ支持体を含むことを特徴とする。
【００２１】
また、上記本発明の一態様に係るサポーターにおいて、前記サポーター用発泡体は、前記中心軸方向に延び周方向に間隔をあけて対で設けられた長尺体を含み、前記支持体は、前記対で設けられた前記長尺体同士の間に配置されていることを特徴とする。
【００２２】
また、上記本発明の一態様に係るサポーターにおいて、前記支持体は、前記中心軸方向の中心に設けられた空隙を挟み、且つ、前記略円弧形状の外形輪郭を対向させて前記中心軸方向の両側に配置されていることを特徴とする。
【００２３】
また、上記本発明の一態様に係るサポーターにおいて、前記長尺体および前記支持体は、前記中心軸方向の端部における前記中心軸を中心とする径方向内側と径方向外側との少なくとも一方に、前記中心軸方向外側に向かうに従って、厚さが薄くなる方向に変化する傾斜部又は曲面部を有することを特徴とする。
【発明の効果】
【００２４】
本発明では、繰り返し使用が可能で皮下温度を十分に温めることができるサポーター用エラストマー発泡体及びサポーターを提供することができる。
【図面の簡単な説明】
【００２５】
【図１】本実施形態に係るサポーター１の外観斜視図である。
【図２】図１におけるＭ−Ｍ線視断面図である。
【図３】膝関節部にサポーター１が装着された外観斜視図である。
【図４】支持体の変形例を示す（ａ）は正面図、（ｂ）は側面図である。
【図５】支持体の変形例を示す（ａ）は正面図、（ｂ）は側面図である。
【図６】長尺体の変形例を示す斜視図である。
【図７】長尺体の変形例を示す斜視図である。
【図８】長尺体の変形例を示す平面図である。
【図９】長尺体の変形例を示す平面図である。
【図１０】支持体の変形例を示す平面図である。
【図１１】支持体の変形例を示す平面図である。
【発明を実施するための形態】
【００２６】
以下、本発明のサポーター用エラストマー発泡体及びサポーターの実施の形態を、図１ないし図３を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００２７】
［サポーター］
図１は、本実施形態に係るサポーター１の外観斜視図である。図２は、図１におけるＭ−Ｍ線視断面図である。
図１に示すように、サポーター１は、サポーター本体１０とエラストマー発泡体（サポーター用エラストマー発泡体）２０とを有している。
【００２８】
［サポーター本体１０］
サポーター本体１０は、ヒトの可動部（膝、肘、首、足首、肩、手首、腰、股関節及びその周辺部）をサポートする支持具である。サポーター本体１０は、上記ヒトの可動部にエラストマー発泡体２０を組込める構造を有するサポーターが好ましい。
【００２９】
サポーター本体１０は、中心軸Ｃ方向に延びる円筒形状に形成されている。又は、少なくとも一つの平面体の端部をつなげて筒状に構成されている。後者の構成について具体的には、平面形状に形成され、対向する端部同士を接合して円筒形状にする、或いは前記ヒトの稼動部に装着する際に対向する端部同士を接合して円筒形状にする形態も含む。以下では、中心軸Ｃが上下方向に延び、サポーター本体１０の下側に開口部１１が形成され、上側に開口部１２が形成されるものとして説明する。ただし、この上下方向の定義により、本発明に係るサポーター１の使用時の向きを限定する意図はない。
【００３０】
サポーター本体１０の素材としては、例えば、パワーネット素材、ソフトパイル素材、ダブルラッセル素材、シングルラッセル素材、メッシュ素材及びその組合せ、丸編みニット生地等、伸縮性及び柔軟性を有しヒトに装着されたときに圧迫してヒトの可動部（関節部等）を安定させることが可能であれば特に限定されない。サポーター本体１０としては、例えば、日本シグマックス株式会社製ザムスト、膝用「ＺＫ−７」、「ＺＫ−１」、足首・アキレス腱用ＦＡ−１」、腰用「ＺＷ−３」、手首・指用「リストラップ」、肩・ヒジ用「ボディーメイト」、「ショルダーラップ」、などが挙げられる。
【００３１】
［エラストマー発泡体２０］
エラストマー発泡体２０は、運動エネルギーを熱エネルギーに変換するエラストマー素材の発泡体である。エラストマー発泡体２０は、長尺体２１及び支持体２２を含む。図２に示すように、長尺体２１は、サポーター本体１０の内周面側に、一例として、メッシュ材２３によって固定されている。また、支持体２２は、サポーター本体１０の内周面側に、一例として、メッシュ材２４によって固定されている。
【００３２】
長尺体２１は、一端が中心軸Ｃ方向の一方側（下側）に配置され、他端が中心軸Ｃ方向の他方側（上側）に配置されている。本実施形態の長尺体２１は、中心軸Ｃ方向に長尺に延びる直方体形状である。長尺体２１は、中心軸Ｃを中心とする周方向に間隔をあけて対で設けられている。長尺体２１は、例えば、サポーター本体１０を膝部（膝関節部）に装着した際に、膝蓋骨の両側で大腿四頭筋及び側副靱帯と重なる位置又はその近傍に配置されている。長尺体２１の中心軸Ｃ方向の長さは、サポーター本体１０の中心軸Ｃ方向の長さと同等が最大であり下限は５０ｍｍ以上である。長尺体２１の幅は、例えば、１０〜３０ｍｍである。長尺体２１の厚さは、例えば、５〜２０ｍｍである。長尺体２１の体積としては、１つあたり２．５〜１８０ｃｍ３が好ましい。２．５ｃｍ３以上とすることで、発熱性が良好となり、１８０ｃｍ３以下とすることで、サポーターの動きに対する追随性が良好となる。なお、長尺体２１は、サポーター本体１０に１〜４つ配置されていることが好ましく、２つが対で配列されていることがより好ましい。
【００３３】
支持体２２は、サポーター本体１０における中心軸Ｃ方向の中心よりも下側に配置されている。支持体２２は、図１に示すように、対で設けられた長尺体２１同士の間に配置されている。支持体２２は、例えば、サポーター本体１０を膝部（膝関節部）に装着した際に、膝蓋骨を下側から支持し膝蓋腱と重なる位置又はその近傍に配置されている。支持体２２の上側の外形輪郭は下側に窪んでいる。本実施形態における支持体２２の上側の外形輪郭は、正面視で略円弧形状である。当該円弧形状の曲率中心は、正面視で円弧形状よりも上側に配置されている。すなわち、支持体２２の上側の外形輪郭は、正面視で下側に窪んだ略円弧形状である。
【００３４】
支持体２２の厚さは、例えば、５〜２０ｍｍである。支持体２２の幅は、例えば４０〜１５０ｍｍ、高さは１０ｍｍ〜８０ｍｍである。支持体２２は、図２に示すように、下側の端部における中心軸Ｃを中心とする径方向外側の位置に、下側に向かうに従って、薄くなる方向に傾斜する傾斜部２５を有してもよい。
支持体２２の体積としては、１つあたり２〜２００ｃｍ３が好ましい。２ｃｍ３以上とすることで、発熱性が良好となり、２００ｃｍ３以下とすることで、サポーターの動きに対する追随性が良好となる。なお、支持体２２は、サポーター本体１０に１〜２つ配置されていることが好ましい。
【００３５】
エラストマー発泡体２０は、示差走査熱量計により測定されるＤＳＣ（Ｄｉｆｆｅｒｅｎｔｉａｌ  ｓｃａｎｎｉｎｇ  ｃａｌｏｒｉｍｅｔｒｙ）曲線において、１０Ｋ／ｍｉｎで昇温した際のＤＳＣ 曲線２５℃以上、５５℃以下の温度領域、好ましくは４０℃以上、５０℃以下の温度領域に１．５μＶｓ／ｍｇ以上の吸熱ピークを有するものが好ましい。エラストマー発泡体２０は、発熱した熱を吸熱ピークの温度領域において蓄熱すると考えられる。すなわち、エラストマー発泡体２０は、上記の温度領域の発熱体として機能し温かさを維持することができる。なお、比熱容量としては、−０．４ｍＷ/ｍｇ以下であることが好ましい。
【００３６】
エラストマー発泡体２０は、下記（Ａ）成分及び（Ｂ）成分から選ばれる１種以上を含有する。
【００３７】
（Ａ）成分：エチレン酢酸ビニル共重合体、スチレンジエン共重合体が挙げられ、発熱性の観点から、スチレンジエン共重合体が好ましい。スチレンジエン共重合体は、スチレン（ａ１）とジエン（ａ２）の共重合体であり、発熱性の観点から、ポリスチレン（ａ１）とポリジエン（ａ２）のブロック共重合体が好ましい。また、共重合体は他の素材と架橋、共重合してもよい。
【００３８】
エラストマー発泡体２０中、（Ａ）成分の含有量は、１５質量％以上７０質量％以下が好ましく、２０質量％以上６５質量％以下がより好ましい。１５質量％以上７０質量％以下とすることで発熱効果が良好となる。
【００３９】
（ａ１）スチレンとしては、発泡体の復元性（よじれても元の姿に回復する力）の観点からポリスチレンが好ましい。
【００４０】
（ａ２）ジエンとしては、適度な柔軟性と発熱性を付与する観点からポリジエンが好ましい。ポリジエンとしては、ポリイソプレン（３，４結合）、ポリイソプレン（１，４結合）、ポリイソプレン（１，２結合）、やこれらを水添したポリイソプレン、塩素化ブチルゴムが挙げられ、適度な柔軟性と発熱性の観点から、３，４結合や１，４結合のポリイソプレンや、これらの水添が好ましい。
【００４１】
ポリスチレンポリジエンブロック共重合体として、（ａ１）成分と（ａ２）成分の含有割合（質量比）は、発熱性の観点から、１：０．５〜１０が好ましく、１：１〜９がより好ましい。
【００４２】
（Ｂ）成分：天然ゴム、ブタジエンゴム、低スチレン・ブタジエンゴム、スチレン、水素添加スチレン、ジエン系ゴム、イソプレンゴム、ニトリルゴム、アクリロニトリル、ブタジエン、塩素化ブチルゴムが挙げられる。（Ａ）成分との混合性の観点から、エラストマーには（Ａ）成分に加えて（Ｂ）成分として、天然ゴム、ブタジエンゴム、低スチレン・ブタジエンゴムをさらに含有していることが好ましい。発泡体中（Ｂ）成分の含有量は、１質量％以上が好ましく、５質量％以上がより好ましい。前記下限以上とすることで、発泡体の変形後の回復が早くなり易く発熱性が良好となる。上限は、５５質量％以下が好ましく、５０質量％以下がより好ましい。前記上限以下とすることで、発熱性が良好となる。
【００４３】
発泡体：発泡体とは内部に細かな気泡、孔を複数有した多孔質体のことを指す。（Ａ）成分を含有する樹脂を発泡体とするため、発泡剤を含有する。
【００４４】
発泡剤としては、アゾジカルボンアミド（ＡＤＣＡ）、１，１’−アゾビス（１−アセトキシ−１−フェニルエタン）、ジメチル−２，２’−アゾビスブチレート、ジメチル−２，２’−アゾビスイソブチレート、２，２’−アゾビス（２，４，４−トリメチルペンタン）、１，１’−アゾビス（シクロヘキサン−１−カルボニトリル）、２，２’−アゾビス［Ｎ−（２−カルボキシエチル）−２−メチル−プロピオンアミジン］等のアゾ化合物；Ｎ，Ｎ’−ジニトロソペンタメチレンテトラミン（ＤＰＴ）等のニトロソ化合物；４，４’−オキシビス（ベンゼンスルホニルヒドラジド）、ジフェニルスルホン−３，３’−ジスルホニルヒドラジド等のヒドラジン誘導体；ｐ−トルエンスルホニルセミカルバジド等のセミカルバジド化合物；トリヒドラジノトリアジンなどの有機系熱分解型発泡剤、更には、炭酸水素ナトリウム、炭酸水素アンモニウム等の重炭酸塩、炭酸ナトリウム、炭酸アンモニウム等の炭酸塩；亜硝酸アンモニウム等の亜硝酸塩、水素化合物などの無機系熱分解型発泡剤などが挙げられる。これらの発泡剤の中で、(Ａ）素材との製造時の相溶性の観点からアゾジカルボンアミド（ＡＤＣＡ）、炭酸水素ナトリウム、Ｎ，Ｎ’−ジニトロソペンタメチレンテトラミン（ＤＰＴ）が好ましい。発泡体中、発泡剤の含有量は、１質量％以上１５質量％以下が好ましく、２質量％以上１０質量％以下がより好ましい。１質量％以上１５％以下とすることで発熱性が良好となる。
【００４５】
（Ａ）成分を含有する発泡体には、任意成分として、（Ａ）成分及び（Ｂ）成分以外の樹脂、架橋剤、架橋助剤、充填剤等を配合することができる。
（Ａ）成分以外の樹脂（Ｂ）成分としては、アクリレート、オレフィン樹脂、ウレタン樹脂、ポリエチレン樹脂、エポキシ樹脂、石油系樹脂（C5-C9系石油樹脂、C9系石油樹脂等）が挙げられる。
架橋剤としては、ジクミルペルオキシド、ジ−ｔ−ブチルペルオキシド、２，５−ジメチル−２，５−ジ−（ｔ−ブチルペルオキシ）ヘキサン、２，５−ジメチル−２，５−ジ−（ｔ−ブチルペルオキシ）ヘキシン−３、１，３−ビス（ｔ−ブチルペルオキシイソプロピル）ベンゼン、１，１−ビス（ｔ−ブチルペルオキシ）−３，３，５−トリメチルシクロヘキサン、ｎ−ブチル−４，４−ビス（ｔ−ブチルペルオキシ）バレレート、ベンゾイルペルオキシド、ｐ−クロロベンゾイルペルオキシド、２，４−ジクロロベンゾイルペルオキシド、ｔ−ブチルペルオキシベンゾエート、ｔ−ブチルペルベンゾエート、ｔ−ブチルペルオキシイソプロピルカーボネート、ジアセチルペルオキシド、ラウロイルペルオキシド、ｔ−ブチルクミルペルオキシド等の有機ペルオキシドが挙げられる。
【００４６】
架橋助剤としては、ジビニルベンゼン、トリメチロールプロパントリメタクリレート、１，６−ヘキサンジオールメタクリレート、１，９−ノナンジオールジメタクリレート、１，１０−デカンジオールジメタクリレート、トリメリット酸トリアリルエステル、トリアリルイソシアネート、ネオペンチルグリコールジメタクリレート、１，２，４−ベンゼントリカルボン酸トリアリルエステル、トリシクロデカンジメタクリレート、ポリエチレングリコールジアクリレートなどを挙げることができ、これらを２つ以上組み合わせて用いることもできる。
【００４７】
充填剤としてはカーボンブラック、カーボンナノチューブ、フラーレン、シリカ、炭酸マグネシウム、炭酸カルシウム、クレー、タルク、水酸化マグネシウム、水酸化アルミニウム、ケイ酸カルシウム等が挙げられる。
【００４８】
エラストマー発泡体２０における損失正接であるｔａｎδは、０．１〜１０Ｈｚまでの周波数において（測定温度２５℃）、０．２以上となる発泡体が好ましい。０．２以上とすることで十分な発熱量が得られやすくなり、温かく感じられる。０．６以下とすることで、発泡体の製造性が良好となる。損失正接であるｔａｎδとは、損失弾性率／貯蔵弾性率の比であり、０に近ければ弾性体に近くなり、値が大きいほど粘性体に近い。測定手段としては、レオメーターが挙げられる。
損失正接であるｔａｎδの測定は、例えばＴＡインスツルメント社製のレオメーターＡＲ  ２０００ｅｘを用いて測定することができる。試験片を１０ｍｍの厚みで切り出してひずみ依存性を測定し、０．１％ひずみが線形領域であることを確認する。直径４０ｍｍのアルミ平板を使用し、法線応力は１．５〜６Ｎで測定する。０．１％ひずみは、２５℃固定での０．０１〜１００Ｈｚの周波数依存性を測定する。
【００４９】
エラストマー発泡体２０における見掛け密度としては、０．１〜０．４ｇ／ｃｍ３が挙げられる。見掛け密度としては、好ましくは、０．１５〜０．２ｇ／ｃｍ３である。見掛け密度が０．１ｇ／ｃｍ３以上で発熱効果が得られやすくなり、０．４ｇ／ｃｍ３以下とすることで可動部での追従性が得られやすくなる。本発明の見掛け密度とは、内部に空隙をもつ物質や粉粒体にあって、その空隙を含めた単位容積当たりの質量をいう。見掛け密度の測定としては、予め縦、横、高さを測定した直方体形状の発泡体について重さを測り、１ｃｍ３あたりの重さｇを計算により求めることができる。
【００５０】
エラストマー発泡体２０の発熱に伴う皮膚皮下温度としては、一例として、サポーター１との接触部位の近傍２ｃｍ付近の皮膚皮下１ｃｍの温度であり、３５℃超、４５℃以下が好ましく、３６℃以上、４３℃以下がより好ましく、３６℃以上、４０℃以下がさらに好ましい。皮膚皮下温度を３５℃超とすることにより、温熱効果が得られ、血流促進効果や、関節部の痛みの低減効果が得られやすくなる。皮膚皮下温度を４５℃以下とすることにより、低温やけどが生じ難くなる。皮膚皮下温度を非侵襲で測定する方法としては熱流補償式体温測定の原理を使う。また、皮膚皮下温度の上昇温度としては、３℃以上が好ましく、４℃以上がより好ましく、５℃以上がさらに好ましい。皮膚皮下温度が３℃以上上昇して温めることで温熱効果が得られ、血流促進効果や、関節部の痛みの低減効果が向上する。皮膚皮下温度の上昇温度の上限としては、１０℃以下が好ましい。１０℃以下とすることで、低温やけどが生じ難くなる。
【００５１】
［エラストマー発泡体２０の製造方法］
エラストマー発泡体２０の製造方法としては、（Ａ）成分及び（Ｂ）成分から選ばれる１種と、発泡剤と、さらに必要に応じて充填剤、プロセスオイル、石油系樹脂、加硫剤、加硫助剤、可塑剤、活性剤、老化防止剤、素練り促進剤等を添加し、一例として、１６０℃・１０分の加熱・加圧による架橋にて発泡体を製造する。
【００５２】
発泡体の製造においては、上記長尺体２１あるいは支持体２２に対応した凹部を有する金型を用いて長尺体２１あるいは支持体２２を成形して製造する方法や、所定厚さのシート状発泡体を製作した後に成形して長尺体２１あるいは支持体２２を製造する方法を選択できる。
【００５３】
製造されたエラストマー発泡体２０のうち、一対の長尺体２１は、サポーター本体１０の内周面側にそれぞれ絹、綿、アセテート、ナイロン、ポリエステル及びその混紡製のチュール地のメッシュ材２３によって、図１に示したように、中心軸Ｃ方向に延び、且つ周方向に間隔をあけて固定される。また、支持体２２は、サポーター本体１０の内周面側にメッシュ材２４によって、中心軸Ｃ方向の中心よりも下側あるいは上側、その両方に固定される。なお、メッシュ材２４はメッシュ材２３と同様の素材が挙げられる。
【００５４】
次に、上記サポーター１の使用方法について、図３を参照して説明する。
ここでは、ヒトの可動部として膝関節部にサポーター１を装着する場合について説明する。
【００５５】
まず、図３に示すように、サポーター本体１０の上側の開口部１２に足先を挿入して、膝関節部がサポーター本体１０に覆われる位置にサポーター１を装着する。このとき、長尺体２１は、大腿四頭筋及び側副靱帯と重なる位置又はその近傍に配置される。また、支持体２２は、膝蓋骨を下側から支持し膝蓋腱と重なる位置又はその近傍に配置される。膝関節部は、サポーター本体１０に圧迫されることにより安定して支持される。
【００５６】
この状態で歩行等により膝が屈伸すると、エラストマー発泡体２０のうち、一対の長尺体２１はそれぞれ屈曲（折り曲げ）と伸張（折り曲げ解除）とを繰り返すように変形する。すなわち、一対の長尺体２１は、膝の屈伸に伴って加わる運動エネルギーにより変形する。一対の長尺体２１に加わった運動エネルギーは熱エネルギーに変換され、長尺体２１は発熱する。
【００５７】
同様に、膝が屈伸した際にはエラストマー発泡体２０のうち、支持体２２を下側のみに装着した場合は、膝蓋骨を下側から支持しつつ、膝の屈伸に伴う膝蓋骨の移動により、上下方向に圧縮されるとともに、中心軸Ｃと平行な軸線を中心として屈曲と伸張とを繰り返すように変形する。すなわち、支持体２２は、膝の屈伸に伴って加わる運動エネルギーにより変形する。支持体２２に加わった運動エネルギーは熱エネルギーに変換され、支持体２２は発熱する。
【００５８】
示差走査熱量計により測定されるＤＳＣ曲線において、長尺体２１及び支持体２２は、２５℃以上、５５℃以下の温度領域に吸熱ピークを有するため、発熱した長尺体２１及び支持体２２は、発熱した熱を蓄熱し、２５℃以上、５５℃以下の温度の温熱部材として機能する。そのため、長尺体２１及び支持体２２が発熱・蓄熱した熱により、長尺体２１及び支持体２２と対向する皮下を温めることができる。
【００５９】
長尺体２１は、大腿四頭筋及び側副靱帯と重なる位置又はその近傍に配置され、支持体２２は、膝蓋腱と重なる位置又はその近傍に配置されているため、骨部と比較して熱伝達効率が高い筋部を介して熱を伝えることができ、効果的に皮下を温めることができる。
【００６０】
サポーター１を膝関節部から外す際には、サポーター本体１０を足先側に移動させ、足先をサポーター１０の開口部１１側から開口部１２側に抜き出すが、膝などの関節は屈伸運動により関節に向かって捲れあがる性質があるため、長尺体が装着されることにより捲れ上がりを防止しやすくなる。長尺体は、関節部から遠い両端部の厚さが薄くなる傾斜部や曲面部を設けることで、着脱が容易となり、装着時の違和感も少なくなる。
【００６１】
また、支持体２２が、下側の端部における中心軸Ｃを中心とする径方向外側の位置に、下側に向かうに従って、薄くなる方向に傾斜する傾斜部２５を有する場合には、径方向外側への出っ張りが少なくなり、衣類との摩擦を低減するため、使用者がズボン等をはく時や脱ぐとき、あるいは着ているときの動作でサポーター１を膝からずれ難くすることができる。
【００６２】
以上のように、本実施形態のサポーター１においては、エラストマー発泡体２０が運動エネルギーを熱エネルギーに変換し、２５℃以上、５５℃以下の温度領域に吸熱ピークを有するため、半永久的に繰り返し使用が可能で皮下温度を十分に温めることができる。
【００６３】
特に、本実施形態のサポーター１においては、筒状のサポーター本体１０及び長尺体２１が中心軸Ｃ方向に延びているため、膝等の可動部の屈伸により、効果的に長尺体２１を変形させて発熱させることができる。さらに、本実施形態のサポーター１においては、周方向に間隔をあけて一対の長尺体２１を設けているため、サポーター１を膝関節部に装着した際に膝蓋骨から離れた腱部を温めることができ、効果的に皮下を温めることが可能となる。
【００６４】
また、本実施形態のサポーター１においては、中心軸Ｃ方向の中央よりも下側に、一対の長尺体２１同士の間に支持体２２を設けているため、サポーター１を膝関節部に装着した際に膝蓋骨を下方から支持して関節のぐらつきを抑えつつ、膝蓋腱等の腱部を温めることができ、効果的に皮下を温めることが可能となる。
【００６５】
また、本実施形態のサポーター１においては、支持体２２の上側の外形輪郭が、正面視で下側に窪んだ略円弧形状であるため、サポーター１を膝関節部に装着した際に正面視で略円形の膝蓋骨の外周を偏りなく下方から支持することができる。そのため、本実施形態のサポーター１においては、膝蓋骨をより安定した状態で支持することが可能になる。
【００６６】
［実施例］
以下、実施例を示して本発明を詳細に説明するが、本発明は以下の実施例に限定されるものではなく、その要旨を逸脱しない範囲で適宜変更して実施することができる。
【００６７】
（実施例１〜４、比較例１〜５）
［表１］に示す仕様に従って、エラストマー発泡体の構成、見掛け密度（ｇ／ｃｍ３）、損失正接であるｔａｎδ、ＤＳＣにおける吸熱ピーク温度（℃）が異なるサポーターを用いる場合を実施例１〜４、比較例２〜５のサンプルとして歩行試験を行った。また、サポーターを用いない場合を比較例１のサンプルとして歩行試験を行った。各サンプルについて、歩行試験直前の皮下温度（℃）及び３０分徒歩後の皮下温度（℃）を測定した。
【００６８】
実施例１のサポーターにおけるエラストマー発泡体は、株式会社ムーンスター製、ポリスチレンとポリイソプレンのブロック共重合体配合発泡体を用いた。当該ブロック共重合体配合発泡体については、まず、「ハイブラーＶＳ−３（（株）クラレ製）」４０部と「天然ゴム」６０部とのポリマーブレンド体を作製した。次に、前記ポリマーブレンド体１００部に対し、ステアリン酸３部、酸化亜鉛５部、架橋助剤２部、充填剤３０部、石油系樹脂１０部、プロセスオイル１０部を混合し、さらに架橋剤２．５部、発泡剤８部をロール練りし混合物とした。前記混合物を１６０℃、１０分の加熱・加圧による架橋を行い、エラストマー発泡体のサンプルを得た。この発泡体から、長さ１７０ｍｍ、幅１０ｍｍ、厚さ１０ｍｍとなる長尺体２本と（各１７ｃｍ３）、長さ４５ｍｍ、幅７０ｍｍ、厚さ１０ｍｍ、幅方向の片側に曲率半径４０ｍｍの円弧形状となる支持体（２１ｃｍ３）を作成した。前記の支持体は、外周側に向けて傾斜する傾斜部を設けた。
【００６９】
実施例２のサポーターにおけるエラストマー発泡体は、「ハイブラーＶＳ−３」を６０部とし、「天然ゴム」を４０部とした以外は、実施例１のエラストマー発泡体と同様の製造方法でサンプルを得た。この発泡体から、実施例１と同様の大きさとなる長尺体２本と、支持体を作成した。
【００７０】
実施例３のサポーターにおけるエラストマー発泡体は、発泡剤を６部とした以外は、実施例２のエラストマー発泡体と同様の製造方法でサンプルを得た。この発泡体から、実施例１と同様の大きさとなる長尺体２本と、支持体を作成した。
【００７１】
実施例４のサポーターにおけるエラストマー発泡体は、エチレン酢酸ビニル共重合体に発泡剤を加えて発泡させたＶＢＲＡＮスポンジ（クレハエラストマー（株））をサンプルとした。この発泡体から、実施例１と同様の大きさとなる長尺体２本と、支持体を作成した。
【００７２】
比較例２のサポーターは、エラストマー発泡体を用いずにサポーター本体のみ用いたサンプルである。
【００７３】
比較例３のサポーターは、エラストマー発泡体を用いずに温熱部材として「ひざホットン（桐灰化学（株）製）」のカイロのみを用いたサンプルである。
【００７４】
比較例４のサポーターは、エラストマー発泡体としてブリヂストン化成品（株）製、ＦＨＮＰ（低反発ウレタンフォーム）を用いたサンプルである。この発泡体から、実施例１と同様の大きさとなる長尺体２本と、支持体を作成した。
【００７５】
比較例５のサポーターは、エラストマー発泡体としてアキレス（株）製、ＫＩ（高反発ウレタンフォーム）を用いたサンプルである。この発泡体から、実施例１と同様の大きさとなる長尺体２本と、支持体を作成した。
【００７６】
［損失正接であるｔａｎδの測定方法］
ＴＡインスツルメント社製のレオメーターＡＲ  ２０００ｅｘを用いて測定した。試験片は厚み１０ｍｍ、難しい場合は３ｍｍ以上の厚みでひずみ依存性を測定し、０．１％ひずみが線形領域であることを確認した。直径４０ｍｍのアルミ平板を使用した。法線応力は１．５〜６Ｎで測定。０．１％ひずみは、２５℃固定での０．０１〜１００Ｈｚの周波数依存性を測定する。
【００７７】
［ＤＳＣ吸熱ピークの測定方法］
ＤＳＣ測定は、ＮＥＴＺＳＣＨ  Ｊａｐａｎ社製のＤＳＣ  ３５００  Ｓｉｒｉｕｓ（示差走査熱量計）を用い測定した。試験片をアルミパンに５〜１０ｍｇ正確に入れ測定した。ベースラインは空容器で補正し、基準物質をサファイヤとした。−１０℃で１０分保持後、１０Ｋ／ｍｉｎで７０℃まで昇温した際のＤＳＣ曲線から、ＤＤＳＣにてピークと認められる変化の頂点部の温度を読み取り、これを吸熱ピークとした。
【００７８】
［３０分歩行で皮膚皮下温度３６℃到達の確認方法］
実施例１〜４、比較例４、５については、長尺体２本と、支持体を図１に示すように、一方に開口部を有する筒状に構成されたサポーター本体（パワーネットとソフトパイル生地の積層構造体）内に組み込み、前記サポーターを膝下内側稼動部付近に装着した。サポーター装着後、約５５ｍ／分の速度で１５分歩行して、１０分休憩後、再度１５分歩行し、合計３０分歩行した直後の温度を測定した（パネラーは４０代女性、１人、気温２３〜２５℃、湿度２８〜５７％）。皮膚皮下温度は、３Ｍ製「スポットオン」深部温モニタリングシステムを用いて測定した。前記のモニタリングシステムのセンサー部をサポーター接触部位の近傍２ｃｍに取り付け、その温度を皮膚皮下温度（皮下１ｃｍの温度）とした。皮膚皮下温度は、上記歩行試験直前と試験終了直後に測定した。
【００７９】
下記［表１］に示されるように、サポーターを装着しない比較例１のサンプルでは皮下温度を十分に温められなかった。また、サポーターを装着してもエラストマー発泡体が設けられていない比較例２のサンプルでは、サポーター本体による保温機能しか機能しないことから皮下温度の上昇は３℃未満であり不十分であった。さらに、サポーターにカイロが装着された比較例３のサンプル、２５℃以上、５５℃以下の温度領域に吸熱ピークを有さないエラストマー発泡体が装着された比較例４、５のサンプルについても皮下温度は３５℃以下であり、ヒトの体温の平熱を考慮すると治療効果を得ることは期待できないことを確認した。
【００８０】
これに対して、示差走査熱量計により測定されるＤＳＣ曲線において、２５℃以上、５５℃以下の温度領域に吸熱ピークを有する実施例１〜４のサンプルでは、いずれも皮下温度の上昇はいずれも４℃以上であり、また、皮下温度は３５℃を超えていることから、変形性膝関節症の治療効果が期待できることを確認した。
【００８１】
エラストマーがポリスチレンポリジエンのブロック共重合体及び天然ゴムを含有する実施例１〜３のサンプルでは、いずれも皮下温度の上昇が５℃以上であり皮下温度が３６℃を超えていることから、高い治療効果を得られると推定できる。
特に、実施例１、２のサンプルに対して発泡剤の部数が少ない実施例３のサンプルでは、エラストマー発泡体と皮膚との密着性が向上することやエラストマー発泡体量が増えることから、皮下温度及び皮下温度の上昇が最も高くなり、より高い治療効果を得られたと推定する。
【００８２】
また、エチレン酢酸ビニル共重合体を含有する実施例４のサンプルでは、皮下温度の上昇は４℃以上であり、また、皮下温度は３５℃を超えていることから、治療効果を得られると推定できる。
【００８３】
【表１】
2020105256.tif 000003
【００８４】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００８５】
例えば、上記実施形態では、サポーターを膝に装着する構成を例示したが、この構成に限定されず、肘、肩、足首、腰、頸、手首などの関節可動部に広く適用可能である。
関節部位などの慢性炎症では４０〜４２℃のマイルドな温度で加温し細胞に熱ストレスを与え、ＨＳＰ（ヒートショックプロテイン） を誘導させ疾患の治療や健康を保つ療法が知られている。また、皮膚温度を上げることによって痛みが和らぐ効果があり、臨床現場では加温療法として知られている。このため、本発明に係るサポーターを上記関節可動部に装着し、慢性炎症の起きている関節部位を温めることで、痛みを和らげ、ＨＳＰを誘導し疾患の治療効果を高めることが可能になる。
【００８６】
また、上記実施形態では、サポーター本体１０がシンプルな筒状である構成を例示したが、この構成に限定されず、例えば、サポーター本体１０の外周に、周方向の締め付け力を調節可能なベルト部を設ける構成であってもよい。
この構成を採ることにより、サポーターによる圧迫状態を適切に調節することが可能になる。
【００８７】
また、上記実施形態では、支持体２２がサポーター本体１０における中心軸Ｃ方向の中心よりも下側に配置されている構成を例示したが、この構成に限定されない。支持体２２としては、中心軸Ｃ方向の中心よりも上側に配置されている構成や、中心軸Ｃ方向の中心に設けられた空隙を挟んで中心軸Ｃ方向の両側に略円弧形状の外形輪郭を対向させて配置されている構成であってもよい。
【００８８】
また、上記実施形態では、サポーター本体１０に対してエラストマー発泡体２０として、長尺体２１及び支持体２２の双方が設けられる構成を例示したが、この構成に限定されず、例えば、長尺体２１のみが設けられる構成や、支持体２２のみが設けられる構成であってもよい。
【００８９】
また、上記実施形態では、支持体２２の下側端部に中心軸Ｃを中心とする径方向の外側（外周側）の位置に傾斜部２５を設ける構成を例示したが、この構成に限定されない。例えば、図４（ａ）の正面図および図４（ｂ）の側面図に示されるように、外形輪郭が円弧形状の窪みが形成された上側部分における径方向の内側（皮膚側；内周側）に、上側に向けて厚さが薄くなる方向に変化する傾斜部２５Ａを設けてもよい。この場合、傾斜部２５Ａは、支持体２２の上側の外形輪郭を形成する略円弧形状の曲率中心に向けて厚さが薄くなる方向に傾斜することが好ましい。
また、図５（ａ）の正面図および図５（ｂ）の側面図に示されるように、外形輪郭が円弧形状の窪みが形成された上側部分における径方向の外側（外周側）に、支持体２２の上側の外形輪郭を形成する略円弧形状の曲率中心に向けて厚さが薄くなる方向に変化する曲面部２５Ｂを設ける構成であってもよい。
【００９０】
また、支持体２２に限らず、長尺体２１の中心軸Ｃ方向端部における、中心軸Ｃを中心とする径方向の外側の外周部に向く位置に、図６に示すように、中心軸Ｃ方向外側に向かうに従って、厚さが薄くなる方向に変化する傾斜部２５Ｃを設ける構成であってもよい。また、長尺体２１の中心軸Ｃ方向端部における、中心軸Ｃを中心とする径方向の外側の外周部に向く位置に、図６に示すように、中心軸Ｃ方向外側に向かうに従って、厚さが薄くなる方向に変化する曲面部２５Ｄを設ける構成であってもよい。
【００９１】
また、長尺体２１の形状も一端が中心軸Ｃ方向の下側に配置され、他端が中心軸Ｃ方向の上側に配置されていれば直線状に形成される構成の他に、例えば、図８の正面図に示すように、それぞれが「＞」記号状に屈曲する長尺体２１が周方向に間隔をあけて配置される構成であってもよい。図８に示す一対の長尺体２１は、関節の位置が最も間隔が狭く、中心軸Ｃ方向の端部に向けて間隔が徐々に広くなる構成とすることができる。
【００９２】
また、長尺体２１の形状としては、図８に示した形状の他に、例えば、図９の正面図に示すように、関節の位置から下側が中心軸Ｃと平行に延びて長尺体２１同士の間隔が一定で、関節の位置から上側に向かうに従って中心軸Ｃから離れる外側に延びて長尺体２１同士の間隔が徐々に広くなる構成であってもよい。
【００９３】
また、支持体２２の形状についても、上側の外形輪郭が下側に窪んでいれば、上記実施形態で説明した形状に限定されない。支持体２２の形状としては、例えば、図１０の正面図に示すように、周方向の中央部が下側に凸形状となる円弧形状によって上側の外形輪郭が下側に窪み、円弧形状の両端がそれぞれ半円形状に形成されたＵ字状であってもよい。同様に、支持体２２の形状としては、図１１の正面図に示すように、周方向の中央部が下側に凸形状となる円弧形状によって上側の外形輪郭が下側に窪み、円弧形状の両端がそれぞれ中心が異なる二つの円弧が交差して突起状となった三日月形状であってもよい。
【００９４】
なお、上記実施形態および変形例で示した傾斜部２５、２５Ａ、２５Ｃ、曲面部２５Ｂ、２５Ｄは、必須ではない。
【符号の説明】
【００９５】
１…サポーター、  １０…サポーター本体、  ２０…エラストマー発泡体（サポーター用エラストマー発泡体）、  ２１…長尺体、  ２２…支持体、  ２５、２５Ａ、２５Ｃ…傾斜部、  ２５Ｂ、２５Ｄ…曲面部、  Ｃ…中心軸
【図１】
2020105256.tif 000004
【図２】
2020105256.tif 000005
【図３】
2020105256.tif 000006
【図４】
2020105256.tif 000007
【図５】
2020105256.tif 000008
【図６】
2020105256.tif 000009
【図７】
2020105256.tif 000010
【図８】
2020105256.tif 000011
【図９】
2020105256.tif 000012
【図１０】
2020105256.tif 000013
【図１１】
2020105256.tif 000014